(57)【要約】【課題】本発明は、部品点数を増やすことなく、ピッチの狭小化やケーブルを処理（纏める）することができ、相手コネクタとの強固なロックができ、かつ、簡単にロックを解除できる構造のコネクタと相手コネクタに単に嵌合できるコネクタとを選択できる構造のコネクタを提供する。【解決手段】  本目的は相手コネクタと着脱自在に嵌合するコネクタ１０であって、コネクタ１０は、ケーブルと接続する接続部１４３を有する複数のコンタクト１４とハウジング１２と上カバー１６及び下カバー１８とケーブルを纏め、整列保持するストレンリリーフ２０とを備え、相手コネクタとのロック機能を有するとともにストレンリリーフ２０に回動可能に装着される装着手段を有し、回動させることにより、ロック機能が相手コネクタから解除される部材２０を装備するかどうかを選択することができることを特徴とするコネクタ１０である。【選択図】  図１
2014130682.tif 000002
【特許請求の範囲】
【請求項１】
相手コネクタと着脱自在に嵌合するコネクタであって、
前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフとを備え、
前記ストレンリリーフに部材を装着する装着手段を設け、
前記相手コネクタとのロック機能を有するとともに前記ストレンリリーフに回動可能に装着される装着手段を有し、回動させることにより、前記ロック機能が前記相手コネクタから解除される部材を装備するかどうかを選択することができることを特徴とするコネクタ。
【請求項２】
前記部材を装備する場合、前記部材は前記ストレンリリーフに回動可能に装着され、
前記部材を回動させることにより、前記部材のロック機能が前記相手コネクタから解除されることを特徴とする請求項１記載のコネクタ。
【請求項３】
可撓性を有する薄肉のプルタブを、前記ストレンリリーフに一体若しくは別体に設け、前記プルタブを前記相手コネクタの嵌合方向と逆方向に引くことにより、前記部材が回動し、前記部材のロック機能が前記相手コネクタから解除されることを特徴とする請求項２記載のコネクタ。
【請求項４】
前記ストレンリリーフの長手ピッチ方向両側に一方方向（相手コネクタの嵌合方向）に突出する突出片を設けるとともに前記突出片の先端に前記装着手段として外側（ハウジングの逆側）方向に突出する軸部を設け、
前記部材には一方側に前記ロック機能として相手コネクタに係合する突出部を設けるとともに前記軸部に対応する位置に前記装着手段として前記軸部と枢着する軸受部を設け、ほぼ中央付近に前記部材を復帰させる為の弾性を有する弾性片を設け、
前記プルタブを前記相手コネクタの嵌合方向と逆方向に引くことにより、前記部材が前記軸部を軸に回動し、前記部材の突出部が前記相手コネクタから解除されることを特徴とする請求項２または３記載のコネクタ。
【発明の詳細な説明】
【技術分野】
【０００１】
本発明は、シーケンサや基地局や自動改札機や遊技機や交換機等の電気機器や電子機器に使用されるコネクタに関するもので、特に、部品点数を増やすことなく、ケーブルを処理（纏める）することができ、相手コネクタとの強固なロックができ、かつ、簡単にロックを解除できる構造のコネクタと相手コネクタに単に嵌合できるコネクタとを選択できる構造のコネクタに関するものである。
【背景技術】
【０００２】
コネクタは機器間を接続するものであり、少なくともとしては、相手物と接触する接触部とケーブル（フレキシブルフラットケーブル（以下、ＦＦＣという）を含む）に接続する接続部を有する複数のコンタクトと前記コンタクトを配列・保持するハウジングを備えている。前記コンタクトの接続部は、前記ケーブルを圧接する圧接タイプである。所謂、Ｕ字形状のスリット部分に前記ケーブルの芯線を差し込んで、前記芯線の外被を切り、導体部分と接続するものである。前記コンタクトの接続部に前記ケーブルを圧接する場合には均一に押し込むためにカバー（特許文献１，３，４参照）を用いることが多い。また、ケーブルを纏めて１方向に処理するためにはストレンリリーフ（特許文献１，３，４参照）を用いることが多い。さらに、ＦＰＣの芯線間を切断したり、狭ピッチ化するために立体圧接の上下カバー（特許文献２参照）を用いることがある。相手コネクタとより強固なロックをするためには、別部品（特許文献３参照）を用いたり、相手コネクタにロック機構（特許文献４参照）を設けて行っている。
下記に、本出願人が提案した文献として、ストレンリリーフを用いた特許文献１（特開２００１−４３９１８）と上下カバーを用いた特許文献２（特開２００３−６８３７６）
とストレンリリーフを用いて相手コネクタとのロック機構を有した特許文献３（特開２００１−３３２３４６）とストレンリリーフを用いて相手コネクタ側にロック機構を有した特許文献４（登録実用新案第３０６３２１１号）を挙げます。
【特許文献１】特開２００１−４３９１８。この文献の要約によると、ケーブルコネクタのソケットコンタクトの圧接部分に力が加わることなく、ケーブルコネクタの低背位化および機器内でのコネクタの取り外しを容易にすることを目的とし、ピンコネクタ３０は、ソケットコンタクトと嵌合するピンコンタクト３４と、このピンコンタクトが保持・固定されるブロック３２とからなる電気コネクタにおいて、ストレンリリーフ２０は本体部４４とサイド部４６とから構成され、本体部をケーブルの厚み分だけサイド部より低くすると共にストレンリリーフ２０装着後にストレンリリーフのサイド部の上面とカバー１６の上面部分をほぼ同一高さにする。ほぼ同一高さとは、カバー１６の上面部分より０〜０．５ｍｍ程度低くした状態である。また、ケーブルコネクタのストレンリリーフとピンコネクタのブロックとの間に段部を設け、略Ｕ字形状に湾曲させた１枚の板状片からなる抜去用治具の係合部を前記段部に係合させ、前記コネクタを取り外せるようにする構造の電気コネクタが開示されている。
【特許文献２】特開２００３−６８３７６。この文献の要約によると、コネクタの低背化が可能で、かつ、接続線が屈曲力に強い構造の圧接形コネクタを提供することを目的とし、コネクタ本体１０側及びカバー３０側の各接続線保持用傾斜台の突出側湾曲部を略水平に削除し水平部２２、２２Ａを設けると共にこの突出側湾曲部の水平部２２、２２Ａに対応した位置のコネクタ本体１０側及びカバー３０側の各接続線保持用傾斜台の窪み側湾曲部に略水平に凸部３４、３４Ａを設け、水平に削除し水平部２２、２２Ａを設けた突出側湾曲部と凸部３４、３４Ａを設けた窪み側湾曲部とで接続線装着部を形成し、コネクタ本体１０側及びカバー３０側の前記接続線引出し部の接続線案内用突起に接続線３６に食い込む程度延設した延設部２６、２６Ａを設けることで達成できる構造の圧接形コネクタが開示されている。
【特許文献３】特開２００１−３３２３４６。ロック機構無しのコネクタを採用した場合でも、確実にピンコネクタ２０とソケットコネクタ４０を保持できる構造のロック補助パーツを備えた電気コネクタを提供することを目的とし、ソケットコネクタ４０はフラットケーブル５０と、ソケットコンタクトと、ハウジング４４と、カバー４６と、カバー４６との間でフラットケーブル５０を挟持するストレインリリーフ４８とからなり、ピンコネクタ２０はピンコンタクトと、このピンコンタクトが保持・固定されるブロックとからなる。ロック補助パーツ１２は、前記ピンコネクタ２０に係合する部分とソケットコネクタ４０に係合する部分とからなり、ピンコネクタ２０とソケットコネクタ４０とに係合させることにより確実に嵌合状態を保持できる構造の電気コネクタが開示されている。
【特許文献４】登録実用新案第３０６３２１１号。コネクタ外装部を透明又は半透明の樹脂として、コネクタ内部が透視できるようにしたパチンコ機器用電気コネクタを提供することを目的とし、パチンコ機器内に取り付けられる電気コネクタであって、コネクタ外装部１１０，２１０，２３０，２４０が透明又は半透明の樹脂からなり、コネクタ内部が透視できるようにしたパチンコ機器用電気コネクタにあり、これによって、不正な手段の容易な発見と不正な手段の大きな抑止力が得られる構造のパチンコ機器用電気コネクタが開示されている。
【発明の開示】
【発明が解決しようとする課題】
【０００３】
近年、電子機器や電気機器が小型化する中、客先からは相手コネクタとの嵌合は強固にロックができ、抜去する際には簡単にロックを解除できる構造のコネクタと相手コネクタに単に嵌合できるコネクタとを選択できるようにすることが要求されている。つまり、選択に応じて、ロック機構部分を容易に装着できる構造のコネクタが要求されている。また、ケーブル付きのコネクタのため、ケーブルを１方向に纏めることができ、機器の小型化からピッチの狭小化や管理工数から部品点数も増やさないことが要求されている。
特許文献１は、ストレンリリーフを用いてケーブルを１方向に纏める構造であるが、相手コネクタとのロック機構を有してなく、別部品の治具等で取り外しを行っており、狭ピッチ化の対応にもなっていない。
特許文献２は、立体圧接による狭ピッチ化は可能であるが、相手コネクタとのロック機構を有してなく、ケーブルを１方向に纏める構造にはなっていない。
特許文献３は、ストレンリリーフを用いてケーブルを１方向に纏める構造であり、嵌合時の簡単なロック機構も有しているが、相手コネクタとのロック機構が強固ではないためべつのロック補助パーツを用いており、治具等を用いないとロック補助パーツを外すことが出来なく、狭ピッチ化の対応にもなっていない。
特許文献４は、ストレンリリーフを用いてケーブルを１方向に纏める構造であり、嵌合時のロック機構として相手コネクタ側にロック部材を有しているが、手等でロック部材を外さないとロックを解除できず、狭ピッチ化の対応にもなっていない。
【０００４】
本発明は、このような従来の問題点に鑑みてなされたもので、部品点数を増やすことなく、ピッチの狭小化やケーブルを処理（纏める）することができ、相手コネクタとの強固なロックができ、かつ、簡単にロックを解除できる構造のコネクタと相手コネクタに単に嵌合できるコネクタとを選択できる構造のコネクタを提供するものである。
【課題を解決するための手段】
【０００５】
本目的は、請求項１記載のように、相手コネクタと着脱自在に嵌合するコネクタであって、前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフとを備え、
前記ストレンリリーフに部材を装着する装着手段を設け、
前記相手コネクタとのロック機能を有するとともに前記ストレンリリーフに回動可能に装着される装着手段を有し、回動させることにより、前記ロック機能が前記相手コネクタから解除される部材を装備するかどうかを選択することができることを特徴とするコネクタにより達成できる。
【０００６】
請求項２記載のコネクタは、前記部材を装備する場合、前記部材は前記ストレンリリーフに回動可能に装着され、
前記部材を回動させることにより、前記部材のロック機能が前記相手コネクタから解除されることを特徴とする請求項１記載のコネクタにある。
また、請求項３記載のコネクタは、可撓性を有する薄肉のプルタブを、前記ストレンリリーフに一体若しくは別体に設け、前記プルタブを前記相手コネクタの嵌合方向と逆方向に引くことにより、前記部材が回動し、前記部材のロック機能が前記相手コネクタから解除されることを特徴とする請求項２記載のコネクタにある。
さらに、請求項４記載のコネクタは、前記ストレンリリーフの長手ピッチ方向両側に一方方向（相手コネクタの嵌合方向）に突出する突出片を設けるとともに前記突出片の先端に前記装着手段として外側（ハウジングと逆側）方向に突出する軸部を設け、
前記部材には一方側に前記ロック機能として相手コネクタに係合する突出部を設けるとともに前記軸部に対応する位置に前記装着手段として前記軸部と枢着する軸受部を設け、ほぼ中央付近に前記部材を復帰させる為の弾性を有する弾性片を設け、
前記プルタブを前記相手コネクタの嵌合方向と逆方向に引くことにより、前記部材が前記軸部を軸に回動し、前記部材の突出部が前記相手コネクタから解除されることを特徴とする請求項２または３記載のコネクタにある。
【発明の効果】
【０００７】
以上の説明から明らかなように、本発明のコネクタによると、次のような優れた効果が得られる。本発明のコネクタでは、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、簡単にロックを解除でき、目視で抜去の確認ができ、確認できるため無理に抜去しないので破損することがない構造のコネクタを提供できる。
（１）相手コネクタと着脱自在に嵌合するコネクタであって、
前記コネクタは、相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフとを備え、
前記ストレンリリーフに部材を装着する装着手段を設け、
前記相手コネクタとのロック機能を有するとともに前記ストレンリリーフに回動可能に装着される装着手段を有し、回動させることにより、前記ロック機能が前記相手コネクタから解除される部材を装備するかどうかを選択することができることを特徴とするコネクタにしているので、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、簡単にロックを解除でき、目視で抜去の確認ができ、確認できるため無理に抜去しないので破損することがない構造のコネクタを提供できる。
（２）請求項２記載のコネクタは、前記部材を装備する場合、前記部材は前記ストレンリリーフに回動可能に装着され、
前記部材を回動させることにより、前記部材のロック機能が前記相手コネクタから解除されることを特徴とする請求項１記載のコネクタにしているので、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
（３）請求項３記載のコネクタは、可撓性を有する薄肉のプルタブを、前記ストレンリリーフに一体若しくは別体に設け、前記プルタブを前記相手コネクタの嵌合方向と逆方向に引くことにより、前記部材が回動し、前記部材のロック機能が前記相手コネクタから解除されることを特徴とする請求項２記載のコネクタにしているので、
部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
（４）請求項４記載のコネクタは、前記ストレンリリーフの長手ピッチ方向両側に一方方向（相手コネクタの嵌合方向）に突出する突出片を設けるとともに前記突出片の先端に前記装着手段として外側（ハウジングと逆側）方向に突出する軸部を設け、
前記部材には一方側に前記ロック機能として相手コネクタに係合する突出部を設けるとともに前記軸部に対応する位置に前記装着手段として前記軸部と枢着する軸受部を設け、ほぼ中央付近に前記部材を復帰させる為の弾性を有する弾性片を設け、
前記プルタブを前記相手コネクタの嵌合方向と逆方向に引くことにより、前記部材が前記軸部を軸に回動し、前記部材の突出部が前記相手コネクタから解除されることを特徴とする請求項２または３記載のコネクタにしているので、部品点数を増やすことなく、ピッチの狭小化やケーブルを処理（纏める）することができ、相手コネクタとのロック機能を有するか否かを選択することができ、ロック機能を有する場合には、容易に前記部材を装着でき、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
【図面の簡単な説明】
【０００８】
【図１】（Ａ）  本発明のコネクタを嵌合方向上側よりみた斜視図である。（Ｂ）  本発明のコネクタを嵌合方向の反対側下側よりみた斜視図である。（Ｃ）  本発明のコネクタが相手コネクタと嵌合した状態の斜視図である。
【図２】（Ａ）  プルタブ付きの本発明のコネクタを、あるコンタクト部分で断面した縦断面図である。（Ｂ）  プルタブ付きの本発明のコネクタを、幅方向の中心で断面した横断面図である。（Ｃ）  本発明のコネクタと相手コネクタが嵌合した状態の側面図である。
【図３】（Ａ）  プルタブを取り付けた状態のストレンリリーフをコネクタ装着方向よりみた斜視図である。（Ｂ）  部材をコネクタ装着方向よりみた斜視図である。（Ｃ）  プルタブを取り付けられ、部材が装着された状態のストレンリリーフをコネクタ装着方向よりみた斜視図である。
【図４】（Ａ）  分離した状態の上下カバーを、下カバー方向よりみた斜視図である。（Ｂ）  分離した状態の上下カバーを、上カバー方向よりみた斜視部である。（Ｃ）  嵌め合わさった状態の上下カバーを、あるコンタクト装着孔部分で断面した断面図である。
【図５】（Ａ）  ハウジングを嵌合方向よりみた斜視図である。（Ｂ）  ハウジングを嵌合方向と反対方向よりみた斜視図である。（Ｃ）  ハウジングをある挿入孔部分で断面した断面図である。
【図６】（Ａ）  ２種類のコンタクトを接触部方向よりみた斜視図である。（Ｂ）  ２種類のコンタクトを接続部方向よりみた斜視図である。（Ｃ）  ２種類のコンタクトが装着された状態のハウジングを接続部方向よりみた斜視図である。
【発明を実施するための最良の形態】
【０００９】
本発明の特徴は、相手コネクタと着脱自在に嵌合するコネクタ１０であって、前記コネクタ１０は、相手コネクタと接触する接触部１４１とケーブルと接続する接続部１４３を有する複数のコンタクト１４と、該コンタクト１４が保持・配列される挿入孔１２１を有するハウジング１２と、前記コンタクト１４の接続部１４３が入る装着孔１６１、１８１を有する上カバー１６及び下カバー１８と、前記ケーブルを纏め、整列保持するストレンリリーフ２０とを備え、前記ストレンリリーフ２０に部材２２を装着する装着手段を設け、前記相手コネクタとのロック機能を有するとともに前記ストレンリリーフ２０に回動可能に装着される装着手段を有し、回動させることにより、前記ロック機能が前記相手コネクタから解除される部材２２を装備するかどうかを選択することができることを特徴とするコネクタ１０である。
つまり、選択に応じて、ロック機構部分を容易に装着できる構造のコネクタとし、ロック機構を有する場合には前記部材２２を引くと、前記部材２２が回動することで、簡単に、前記部材２２のロック機能が相手コネクタから解除できるようにしたものである。
ロック機能を有する場合には、相手コネクタと着脱自在に嵌合するコネクタであって、前記コネクタは、相手コネクタと接触する接触部とケーブルと接続する接続部を有する複数のコンタクトと、該コンタクトが保持・配列される挿入孔を有するハウジングと、前記コンタクトの接続部が入る装着孔を有する上カバー及び下カバーと、前記ケーブルを纏め、整列保持するストレンリリーフと、前記相手コネクタとのロック機能を有する部材とを備え、前記部材は前記ストレンリリーフに回動可能に装着され、前記部材を回動させることにより、前記部材のロック機能が前記相手コネクタから解除されることを特徴とするコネクタである。
【００１０】
図１から図６に基づいて、本発明のコネクタ１０の一実施例について説明する。
図１（Ａ）は本発明のコネクタを嵌合方向上側よりみた斜視図であり、（Ｂ）は本発明のコネクタを嵌合方向の反対側下側よりみた斜視図であり、（Ｃ）は本発明のコネクタが相手コネクタと嵌合した状態の斜視図である。図２（Ａ）はプルタブ付きの本発明のコネクタを、あるコンタクト部分で断面した縦断面図であり、（Ｂ）はプルタブ付きの本発明のコネクタを、幅方向の中心で断面した横断面図であり、（Ｃ）は本発明のコネクタと相手コネクタが嵌合した状態の側面図である。図３（Ａ）はプルタブを取り付けた状態のストレンリリーフをコネクタ装着方向よりみた斜視図であり、（Ｂ）は部材をコネクタ装着方向よりみた斜視図であり、（Ｃ）はプルタブを取り付けられ、部材が装着された状態のストレンリリーフをコネクタ装着方向よりみた斜視図である。図４（Ａ）は分離した状態の上下カバーを、下カバー方向よりみた斜視図であり、（Ｂ）は分離した状態の上下カバーを、上カバー方向よりみた斜視部であり、（Ｃ）は嵌め合わさった状態の上下カバーを、あるコンタクト装着孔部分で断面した断面図である。図５（Ａ）はハウジングを嵌合方向よりみた斜視図であり、（Ｂ）はハウジングを嵌合方向と反対方向よりみた斜視図であり、（Ｃ）はハウジングをある挿入孔部分で断面した断面図である。図６（Ａ）は２種類のコンタクトを接触部方向よりみた斜視図であり、（Ｂ）は２種類のコンタクトを接続部方向よりみた斜視図であり、（Ｃ）は２種類のコンタクトが装着された状態のハウジングを接続部方向よりみた斜視図である。
【００１１】
ロック機構を有する場合には、本発明のコネクタ１０は、少なくともハウジング１２と２種類のコンタクト１４と上下カバー１６、１８とストレンリリーフ２０と部材２２を備えている。必要に応じて、プルタブ２４を備える場合もある。本実施例では、前記プルタブ２４を備えたものについて説明する。ロック機構を有しない場合には、少なくともハウジング１２と２種類のコンタクト１４と上下カバー１６、１８とストレンリリーフ２０を備えることになる。つまり、以下で説明するコネクタ１０から前記部材２２を除いた構造になる。
【００１２】
構成部品を説明する前に、本実施例に使用するケーブルについて説明する。導体を絶縁物で覆った複数の芯線が撚られて纏まったものを絶縁物の外皮で覆ったものや、複数の芯線を１本ずつ並べたフレキシブルフラットケーブルなどがある。
【００１３】
まず、本発明のポイントである相手コネクタからの抜去（取り外し）の仕方について説明する。前記部材２２を手で引く（嵌合と反対側で弾性片２２５の反対方向）と前記部材２２が軸受部２２４を中心に回転し、前記部材２２の突出部２２３が相手コネクタから外れて、相手コネクタから抜去（取り外し）することができる。手が入るスペースがない場合、前記ストレンリリーフ２０に取り付けられた前記プルタブ２４を図２（Ｃ）の矢印「イ」方向に水平に引くと、引くだけで自然に前記部材２２が前記軸受部２２４を中心に図２（Ｃ）の矢印「ハ」方向に回転し、前記部材２２の突出部２２３が図２（Ｃ）の矢印「ロ」方向に上がることで相手コネクタから外れて、相手コネクタから抜去（取り外し）することができる。
【００１４】
相手コネクタとの嵌合の際には、前記コネクタ１０を挿入していくと、前記部材２２の突出部２２３の先端の誘い部に沿って、前記部材２２が回転し、前記突出部２２３が前記相手コネクタの係合部を乗り越え、前記弾性片２２５の弾性力によって元に戻り、前記突出部２２３が相手コネクタと係合することで嵌合が完了する。
【００１５】
まず、部材２２について説明する。この部材２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記部材２２は本体部２２１とその両端より嵌合方向に突出する突出片２２２を有している。
【００１６】
前記突出片２２２のほぼ中央付近には、軸受部２２４と一方側に略Ｌ字形状に突出した弾性片２２５が設けられている。前記装着手段としての前記軸受部２２４は、前記ストレンリリーフ２０の軸部２０３と枢軸して、前記部材２２を引いた際に回転できるようにするためのものである。前記軸受部２２４の形状・大きさは、前記部材２２を引いた際に前記部材２２が回転できれば如何なるものでもよいが、上記役割や回転性や加工性や強度等を考慮して適宜設計する。
【００１７】
前記弾性片２２５は、嵌合が完了した際や前記部材２２を引くことをやめた際に、前記部材２２が原点復帰（元の位置に戻る）するためのものである。前記弾性片２２５の形状・大きさは、弾性を有するように設けなければならず、上記役割や弾性や加工性や強度等を考慮して適宜設計する。
【００１８】
前記突出片２２２の先端には、一方側に突出し、相手コネクタと係合する突出部２２３が設けられている。前記突出部２２３は相手コネクタと係合する部分であり、その形状・大きさは係合出切れば如何なるものでもよいが、保持力や嵌合性や加工性や強度等を考慮して適宜設計する。
【００１９】
前記突出部２２３の先端には、相手コネクタとの嵌合時に嵌合し易くするために、誘い部を設けることが望ましい。前記誘い部の形状としては、嵌合し易くできればよく、Ｒ形状やＣ面取りやテーパであってもよい。
【００２０】
次に、ストレンリリーフ２０について説明する。このストレンリリーフ２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ストレンリリーフ２０は本体２０１とその両端より嵌合方向に突出する突出片２０２を有している。
【００２１】
さらに、前記ストレンリリーフ２０には、長手ピッチ方向で、かつ、前記突出片２０２の内側に４つの突部２０４が設けられている。前記突部２０４は、前記上カバー１６と前記ストレンリリーフ２０の間の入る前記ケーブルの厚さを確保するためのものである。言い換えれば、前記ストレンリリーフ２０の嵌合方向の位置決めをするためのものである。前記上カバー１６と前記ストレンリリーフ２０で前記ケーブルを挟み込んで、前記ケーブルを一方向に纏めて処理している。前記突部２０４の形状・大きさは、前記ケーブルの厚さを確保でき、前記ケーブルを纏めて処理できればよく、役割や前記ケーブルの太さや加工性や強度等を考慮して適宜設計する。
【００２２】
前記突出片２０２の先端側で、幅方向のほぼ中央で、前記部材２２の軸受部２２４に対応・枢軸する前記装着手段としての軸部２０３が設けられている。前記軸部２０３は前記軸受部２２４に枢軸できればよく、前記軸部２０３の形状・大きさは役割や回転性や加工性や強度等を考慮して適宜設計する。
【００２３】
前記本体２０１は、前記ケーブルを前記上カバー１６に押し付ける部分である。前記本体２０１は前記ケーブルを押し付けられればよく、その形状・大きさは役割やコネクタの小型化や加工性や強度等を考慮して適宜設計する。
【００２４】
２種類の前記コンタクト１４、１５について説明する。２種類の前記コンタクト１４、１５は金属製であり、公知技術のプレス加工によって製作されている。２種類の前記コンタクト１４、１５の材質としては、バネ性や導電性や寸法安定性などが要求されるので、黄銅やベリリウム銅やリン青銅等を挙げることができる。本実施例では、２種類の前記コンタクト１４、１５は前記ハウジング１２に圧入によって固定されている。
【００２５】
２種類の前記信号コンタクト１４、１５は、相手コネクタと接触する接触部１４１、１５１と前記ハウジング１２に固定される固定部１４２、１５２と前記ケーブルが接続される接続部１４３、１５３とを有している。
【００２６】
前記接触部１４１、１５１は、相手物と接触し易いように相手物の形状に沿うように適宜設計しているが、本実施例では湾曲形状をしている。
【００２７】
前記接続部１４３、１５３は前記ケーブルに接続する部分であり、その方法としては半田付けや圧着や圧接などを挙げることができる。本実施例では圧接によりケーブルと接続している。さらに、本実施例では狭ピッチの対応するため、上下カバー１６、１８を用いた立体圧接構造にしている。
【００２８】
前記固定部１４２、１５２は、前記ハウジング１２に固定出来れば如何なる方法でもよく、圧入や引っ掛け（ランス）や溶着や一体成形等を挙げることができる。本実施例では前記ハウジング１２へ圧入により保持・固定している。前記固定部１４２、１５２の形状・大きさは、保持力や加工性や強度等を考慮して適宜設計する。
【００２９】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、相手コネクタが入る嵌合口５が設けられている。前記嵌合口５は、前記相手コネクタが入ればよく、前記相手コネクタの形状に沿うように適宜設計されている。
【００３０】
前記ハウジング１２は、本体１２２と該本体１２２から相手コネクタの挿入方向へ突出し、前記相手コネクタに入る嵌合部１２３を有している。前記嵌合部１２３は前記相手コネクタに入ればよく、前記相手コネクタの形状に沿うように適宜設計されている。前記嵌合部１２３内には、２種類の前記コンタクト１４、１５が保持・配列される挿入孔１２１が設けられている。
【００３１】
前記挿入孔１２１は圧入や引っ掛け（ランス）や溶着等によって固定されている。本実施例では、それぞれのコンタクト１４、１５は圧入によって固定されている。
【００３２】
前記ハウジング１２の長手ピッチ方向両側で、幅方向両側には凸部１２４が設けられている。前記凸部１２４は、前記凸部１２４間に前記部材２２の弾性片２２５を配置させ、前記部材２２が回転した際に前記弾性片２２５が押し付けられ、前記部材２２が元に戻るようにするためのものである。その形状・大きさは、役割やコネクタの小型化や強度や加工性等を考慮して適宜設計する。
【００３３】
前記ハウジング１２の長手ピッチ方向両側には、嵌合方向と反対側に突出した突出片１２５が設けられている。前記突出片２５は、２つの前記突出片２５間に上下カバー１６、１８を挟み込んで、長手ピッチ方向の位置決めをするためのものである。
【００３４】
前記突出片１２５の先端には、長手ピッチ方向内側に突出した係合部１２７が設けられている。前記係合部１２７は、前記上カバー１６の端部に係合することで、上下カバー１６、１８の高さ方向の位置決めをするためのものである。前記突出片２５と前記係合部１２７の形状・大きさは、上下カバー１６、１８を位置決め、保持できればよく、その形状・大きさは役割や強度や弾性や加工性等を考慮して適宜設計する。
【００３５】
前記突出片１２５のほぼ中央付近には、係止部１２６が設けられている。前記係止部１２６は前記ストレンリリーフ２０と係合することで、前記ストレンリリーフ２０を保持するためのものである。その形状・大きさは加工性や役割や強度等を考慮して適宜設計する。
【００３６】
次に、上カバー１６と下カバー１８について説明する。この上下カバー１６、１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３７】
上下カバー１６、１８には、２種類の前記コンタクト１４、１５の接続部１４３、１５３が入る装着孔１６１、１８１が幅方向に４列ずつ長手ピッチ方向に０．５〜０．８ｍｍ間隔で設けられている。前記装着孔１６１、１８１は前記コンタクト１４、１５が入ればよく、その形状・大きさは前記コンタクト１４、１５の接続部１４３、１５３が入ればよく、狭ピッチ化や加工性や強度等を考慮して適宜設計している。
【００３８】
上下カバー１６、１８には、幅方向に互い違いに湾曲形状をした傾斜台１６４、１８４が長手ピッチ方向に０．５〜０．８ｍｍピッチで設けられている。上下カバー１６、１８を、嵌め合わせた際に、前記傾斜台１６４、１８４同士が嵌め合わさり、前記ＦＦＣの場合に前記傾斜台１６４、１８４の端部で芯線間の絶縁物を切断している。前記傾斜台１６４、１８４の形状・大きさは、芯線間を切断や振り分けできればよく、コネクタの小型化や役割や狭ピッチ化や加工性や強度等を考慮して適宜設計される。
【００３９】
前記上下カバー１６、１８の長手ピッチ方向の中央部付近には、一方のカバー側にガイド片と他方のカバー側にガイド溝とが設けられている。本実施例では、上カバー１６側にガイド片１６３を設け、下カバー１８側にガイド溝１８３を設けている。前記ガイド片１６３と前記ガイド溝１８３は、上下カバー１６、１８の嵌合（嵌め合わせる）の際に、上下カバー１６、１８の嵌め合わせをスムーズに行うためのものである。前記ガイド片１６３と前記ガイド溝１８３の形状・大きさは、このような役割を満足すればよく、役割やガイド性や加工性や強度等を考慮して適宜設計する。
【００４０】
前記上下カバー１６、１８の長手ピッチ方向の幅方向両側には、一方のカバー側に位置決めピンと他方のカバー側に位置決め孔とが設けられている。本実施例では、上カバー１６側に位置決めピン１６２を設け、下カバー１８側に位置決め孔１８２を設けている。前記位置決めピン１６２と前記位置決め孔１８２は、上下カバー１６、１８の嵌合（嵌め合わせる）の際に、上下カバー１６、１８の位置合わせを行うためのものである。前記位置決めピン１６２と前記位置決め孔１８２の形状・大きさは、このような役割を満足すればよく、役割や位置決め性や加工性や強度等を考慮して適宜設計する。
【産業上の利用可能性】
【００４１】
本発明の活用例としては、シーケンサや基地局や自動改札機や遊技機や交換機等の電気機器や電子機器に使用されるコネクタに活用され、特に、部品点数を増やすことなく、ケーブルを処理（纏める）することができ、相手コネクタとの強固なロックができ、かつ、簡単にロックを解除できる構造のコネクタと相手コネクタに単に嵌合できるコネクタとを選択できる構造のコネクタに関するものである。
【符号の説明】
【００４２】
５              嵌合口
１０            コネクタ
１２            ハウジング
１２１          挿入孔
１２２          本体
１２３          嵌合部
１２４          凸部
１２５          突出片
１２６          係止部
１２７          係合部
１４、１５      コンタクト
１４１、１５１  接触部
１４２、１５２  固定部
１４３、１５３  接続部
１６            上カバー
１６１          装着孔
１６２          位置決めピン
１６３          ガイド片
１６４          傾斜台
１８            下カバー
１８１          装着孔
１８２          位置決め孔
１８３          ガイド溝
１８４          傾斜台
２０            ストレンリリーフ
２０１          本体
２０２          突出片
２０３          軸部
２０４          突部
２２            部材
２２１          本体部
２２２          突出片
２２３          突出部
２２４          軸受部
２２５          弾性片
２４            プルタブ
５０            相手コネクタ
５２            係止部
【図１】
2014130682.tif 000003
【図２】
2014130682.tif 000004
【図３】
2014130682.tif 000005
【図４】
2014130682.tif 000006
【図５】
2014130682.tif 000007
【図６】
2014130682.tif 000008
【手続補正書】
【提出日】平成25年11月26日(2013.11.26)
【手続補正１】
【補正対象書類名】明細書
【補正対象項目名】全文
【補正方法】変更
【補正の内容】
【発明の詳細な説明】
【技術分野】
【０００１】
本発明は、シーケンサや基地局や自動改札機や遊技機や交換機等の電気機器や電子機器に使用されるコネクタに関するもので、特に、部品点数を増やすことなく、ケーブルを処理（纏める）することができ、相手コネクタとの強固なロックができ、かつ、簡単にロックを解除できる構造のコネクタと相手コネクタに単に嵌合できるコネクタとを選択できる構造のコネクタに関するものである。
【背景技術】
【０００２】
コネクタは機器間を接続するものであり、少なくともとしては、相手物と接触する接触部とケーブル（フレキシブルフラットケーブル（以下、ＦＦＣという）を含む）に接続する接続部を有する複数のコンタクトと前記コンタクトを配列・保持するハウジングを備えている。前記コンタクトの接続部は、前記ケーブルを圧接する圧接タイプである。所謂、Ｕ字形状のスリット部分に前記ケーブルの芯線を差し込んで、前記芯線の外被を切り、導体部分と接続するものである。前記コンタクトの接続部に前記ケーブルを圧接する場合には均一に押し込むためにカバー（特許文献１，３，４参照）を用いることが多い。また、ケーブルを纏めて１方向に処理するためにはストレンリリーフ（特許文献１，３，４参照）を用いることが多い。さらに、ＦＦＣの芯線間を切断したり、狭ピッチ化するために立体圧接の上下カバー（特許文献２参照）を用いることがある。相手コネクタとより強固なロックをするためには、別部品（特許文献３参照）を用いたり、相手コネクタにロック機構（特許文献４参照）を設けて行っている。
下記に、本出願人が提案した文献として、ストレンリリーフを用いた特許文献１（特開２００１−４３９１８）と上下カバーを用いた特許文献２（特開２００３−６８３７６）
とストレンリリーフを用いて相手コネクタとのロック機構を有した特許文献３（特開２００１−３３２３４６）とストレンリリーフを用いて相手コネクタ側にロック機構を有した特許文献４（登録実用新案第３０６３２１１号）を挙げます。
【特許文献１】特開２００１−４３９１８。この文献の要約によると、ケーブルコネクタのソケットコンタクトの圧接部分に力が加わることなく、ケーブルコネクタの低背位化および機器内でのコネクタの取り外しを容易にすることを目的とし、ピンコネクタ３０は、ソケットコンタクトと嵌合するピンコンタクト３４と、このピンコンタクトが保持・固定されるブロック３２とからなる電気コネクタにおいて、ストレンリリーフ２０は本体部４４とサイド部４６とから構成され、本体部をケーブルの厚み分だけサイド部より低くすると共にストレンリリーフ２０装着後にストレンリリーフのサイド部の上面とカバー１６の上面部分をほぼ同一高さにする。ほぼ同一高さとは、カバー１６の上面部分より０〜０．５ｍｍ程度低くした状態である。また、ケーブルコネクタのストレンリリーフとピンコネクタのブロックとの間に段部を設け、略Ｕ字形状に湾曲させた１枚の板状片からなる抜去用治具の係合部を前記段部に係合させ、前記コネクタを取り外せるようにする構造の電気コネクタが開示されている。
【特許文献２】特開２００３−６８３７６。この文献の要約によると、コネクタの低背化が可能で、かつ、接続線が屈曲力に強い構造の圧接形コネクタを提供することを目的とし、コネクタ本体１０側及びカバー３０側の各接続線保持用傾斜台の突出側湾曲部を略水平に削除し水平部２２、２２Ａを設けると共にこの突出側湾曲部の水平部２２、２２Ａに対応した位置のコネクタ本体１０側及びカバー３０側の各接続線保持用傾斜台の窪み側湾曲部に略水平に凸部３４、３４Ａを設け、水平に削除し水平部２２、２２Ａを設けた突出側湾曲部と凸部３４、３４Ａを設けた窪み側湾曲部とで接続線装着部を形成し、コネクタ本体１０側及びカバー３０側の前記接続線引出し部の接続線案内用突起に接続線３６に食い込む程度延設した延設部２６、２６Ａを設けることで達成できる構造の圧接形コネクタが開示されている。
【特許文献３】特開２００１−３３２３４６。ロック機構無しのコネクタを採用した場合でも、確実にピンコネクタ２０とソケットコネクタ４０を保持できる構造のロック補助パーツを備えた電気コネクタを提供することを目的とし、ソケットコネクタ４０はフラットケーブル５０と、ソケットコンタクトと、ハウジング４４と、カバー４６と、カバー４６との間でフラットケーブル５０を挟持するストレインリリーフ４８とからなり、ピンコネクタ２０はピンコンタクトと、このピンコンタクトが保持・固定されるブロックとからなる。ロック補助パーツ１２は、前記ピンコネクタ２０に係合する部分とソケットコネクタ４０に係合する部分とからなり、ピンコネクタ２０とソケットコネクタ４０とに係合させることにより確実に嵌合状態を保持できる構造の電気コネクタが開示されている。
【特許文献４】登録実用新案第３０６３２１１号。コネクタ外装部を透明又は半透明の樹脂として、コネクタ内部が透視できるようにしたパチンコ機器用電気コネクタを提供することを目的とし、パチンコ機器内に取り付けられる電気コネクタであって、コネクタ外装部１１０，２１０，２３０，２４０が透明又は半透明の樹脂からなり、コネクタ内部が透視できるようにしたパチンコ機器用電気コネクタにあり、これによって、不正な手段の容易な発見と不正な手段の大きな抑止力が得られる構造のパチンコ機器用電気コネクタが開示されている。
【発明の開示】
【発明が解決しようとする課題】
【０００３】
近年、電子機器や電気機器が小型化する中、客先からは相手コネクタとの嵌合は強固にロックができ、抜去する際には簡単にロックを解除できる構造のコネクタと相手コネクタに単に嵌合できるコネクタとを選択できるようにすることが要求されている。つまり、選択に応じて、ロック機構部分を容易に装着できる構造のコネクタが要求されている。また、ケーブル付きのコネクタのため、ケーブルを１方向に纏めることができ、機器の小型化からピッチの狭小化や管理工数から部品点数も増やさないことが要求されている。
特許文献１は、ストレンリリーフを用いてケーブルを１方向に纏める構造であるが、相手コネクタとのロック機構を有してなく、別部品の治具等で取り外しを行っており、狭ピッチ化の対応にもなっていない。
特許文献２は、立体圧接による狭ピッチ化は可能であるが、相手コネクタとのロック機構を有してなく、ケーブルを１方向に纏める構造にはなっていない。
特許文献３は、ストレンリリーフを用いてケーブルを１方向に纏める構造であり、嵌合時の簡単なロック機構も有しているが、相手コネクタとのロック機構が強固ではないためべつのロック補助パーツを用いており、治具等を用いないとロック補助パーツを外すことが出来なく、狭ピッチ化の対応にもなっていない。
特許文献４は、ストレンリリーフを用いてケーブルを１方向に纏める構造であり、嵌合時のロック機構として相手コネクタ側にロック部材を有しているが、手等でロック部材を外さないとロックを解除できず、狭ピッチ化の対応にもなっていない。
【０００４】
本発明は、このような従来の問題点に鑑みてなされたもので、部品点数を増やすことなく、ピッチの狭小化やケーブルを処理（纏める）することができ、相手コネクタとの強固なロックができ、かつ、簡単にロックを解除できる構造のコネクタと相手コネクタに単に嵌合できるコネクタとを選択できる構造のコネクタを提供するものである。
【課題を解決するための手段】
【０００５】
本目的は、請求項１記載のように、相手コネクタと着脱自在に嵌合するコネクタであって、前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフとを備え、
前記ストレンリリーフに部材を装着する装着手段を設け、
前記相手コネクタとのロック機能を有するとともに前記ストレンリリーフに回動可能に装着される装着手段を有し、回動させることにより、前記ロック機能が前記相手コネクタから解除される部材を装備するかどうかを選択することができることを特徴とするコネクタにより達成できる。
【０００６】
請求項２記載のコネクタは、前記部材を装備する場合、前記部材は前記ストレンリリーフに回動可能に装着され、
前記部材を回動させることにより、前記部材のロック機能が前記相手コネクタから解除されることを特徴とする請求項１記載のコネクタにある。
また、請求項３記載のコネクタは、可撓性を有する薄肉のプルタブを、前記ストレンリリーフに一体若しくは別体に設け、前記プルタブを前記相手コネクタの嵌合方向と逆方向に引くことにより、前記部材が回動し、前記部材のロック機能が前記相手コネクタから解除されることを特徴とする請求項２記載のコネクタにある。
さらに、請求項４記載のコネクタは、前記ストレンリリーフの長手ピッチ方向両側に一方方向（相手コネクタの嵌合方向）に突出する突出片を設けるとともに前記突出片の先端に前記装着手段として外側（ハウジングと逆側）方向に突出する軸部を設け、
前記部材には一方側に前記ロック機能として相手コネクタに係合する突出部を設けるとともに前記軸部に対応する位置に前記装着手段として前記軸部と枢着する軸受部を設け、ほぼ中央付近に前記部材を復帰させる為の弾性を有する弾性片を設け、
前記プルタブを前記相手コネクタの嵌合方向と逆方向に引くことにより、前記部材が前記軸部を軸に回動し、前記部材の突出部が前記相手コネクタから解除されることを特徴とする請求項２または３記載のコネクタにある。
【発明の効果】
【０００７】
以上の説明から明らかなように、本発明のコネクタによると、次のような優れた効果が得られる。本発明のコネクタでは、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、簡単にロックを解除でき、目視で抜去の確認ができ、確認できるため無理に抜去しないので破損することがない構造のコネクタを提供できる。
（１）相手コネクタと着脱自在に嵌合するコネクタであって、
前記コネクタは、相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフとを備え、
前記ストレンリリーフに部材を装着する装着手段を設け、
前記相手コネクタとのロック機能を有するとともに前記ストレンリリーフに回動可能に装着される装着手段を有し、回動させることにより、前記ロック機能が前記相手コネクタから解除される部材を装備するかどうかを選択することができることを特徴とするコネクタにしているので、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、簡単にロックを解除でき、目視で抜去の確認ができ、確認できるため無理に抜去しないので破損することがない構造のコネクタを提供できる。
（２）請求項２記載のコネクタは、前記部材を装備する場合、前記部材は前記ストレンリリーフに回動可能に装着され、
前記部材を回動させることにより、前記部材のロック機能が前記相手コネクタから解除されることを特徴とする請求項１記載のコネクタにしているので、部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
（３）請求項３記載のコネクタは、可撓性を有する薄肉のプルタブを、前記ストレンリリーフに一体若しくは別体に設け、前記プルタブを前記相手コネクタの嵌合方向と逆方向に引くことにより、前記部材が回動し、前記部材のロック機能が前記相手コネクタから解除されることを特徴とする請求項２記載のコネクタにしているので、
部品点数を増やすことなく、ピッチの狭小化やケーブルを処理（纏める）することができ、相手コネクタとのロック機能を有するか否かを選択することができ、ロック機能を有する場合には、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
（４）請求項４記載のコネクタは、前記ストレンリリーフの長手ピッチ方向両側に一方方向（相手コネクタの嵌合方向）に突出する突出片を設けるとともに前記突出片の先端に前記装着手段として外側（ハウジングと逆側）方向に突出する軸部を設け、
前記部材には一方側に前記ロック機能として相手コネクタに係合する突出部を設けるとともに前記軸部に対応する位置に前記装着手段として前記軸部と枢着する軸受部を設け、ほぼ中央付近に前記部材を復帰させる為の弾性を有する弾性片を設け、
前記プルタブを前記相手コネクタの嵌合方向と逆方向に引くことにより、前記部材が前記軸部を軸に回動し、前記部材の突出部が前記相手コネクタから解除されることを特徴とする請求項２または３記載のコネクタにしているので、部品点数を増やすことなく、ピッチの狭小化やケーブルを処理（纏める）することができ、相手コネクタとのロック機能を有するか否かを選択することができ、ロック機能を有する場合には、容易に前記部材を装着でき、相手コネクタとの強固なロックができ、かつ、プルタブを引くだけで部材が回動することで簡単にロックを解除でき、目視で抜去の確認ができ、確認できるため無理に抜去しないので破損することがない構造のコネクタを提供できる。
【図面の簡単な説明】
【０００８】
【図１】（Ａ）  本発明のコネクタを嵌合方向上側よりみた斜視図である。（Ｂ）  本発明のコネクタを嵌合方向の反対側下側よりみた斜視図である。（Ｃ）  本発明のコネクタが相手コネクタと嵌合した状態の斜視図である。
【図２】（Ａ）  プルタブ付きの本発明のコネクタを、あるコンタクト部分で断面した縦断面図である。（Ｂ）  プルタブ付きの本発明のコネクタを、幅方向の中心で断面した横断面図である。（Ｃ）  本発明のコネクタと相手コネクタが嵌合した状態の側面図である。
【図３】（Ａ）  プルタブを取り付けた状態のストレンリリーフをコネクタ装着方向よりみた斜視図である。（Ｂ）  部材をコネクタ装着方向よりみた斜視図である。（Ｃ）  プルタブを取り付けられ、部材が装着された状態のストレンリリーフをコネクタ装着方向よりみた斜視図である。
【図４】（Ａ）  分離した状態の上下カバーを、下カバー方向よりみた斜視図である。（Ｂ）  分離した状態の上下カバーを、上カバー方向よりみた斜視部である。（Ｃ）  嵌め合わさった状態の上下カバーを、あるコンタクト装着孔部分で断面した断面図である。
【図５】（Ａ）  ハウジングを嵌合方向よりみた斜視図である。（Ｂ）  ハウジングを嵌合方向と反対方向よりみた斜視図である。（Ｃ）  ハウジングをある挿入孔部分で断面した断面図である。
【図６】（Ａ）  ２種類のコンタクトを接触部方向よりみた斜視図である。（Ｂ）  ２種類のコンタクトを接続部方向よりみた斜視図である。（Ｃ）  ２種類のコンタクトが装着された状態のハウジングを接続部方向よりみた斜視図である。
【発明を実施するための最良の形態】
【０００９】
本発明の特徴は、相手コネクタと着脱自在に嵌合するコネクタ１０であって、前記コネクタ１０は、相手コネクタと接触する接触部１４１とケーブルと接続する接続部１４３を有する複数のコンタクト１４と、該コンタクト１４が保持・配列される挿入孔１２１を有するハウジング１２と、前記コンタクト１４の接続部１４３が入る装着孔１６１、１８１を有する上カバー１６及び下カバー１８と、前記ケーブルを纏め、整列保持するストレンリリーフ２０とを備え、前記ストレンリリーフ２０に部材２２を装着する装着手段を設け、前記相手コネクタとのロック機能を有するとともに前記ストレンリリーフ２０に回動可能に装着される装着手段を有し、回動させることにより、前記ロック機能が前記相手コネクタから解除される部材２２を装備するかどうかを選択することができることを特徴とするコネクタ１０である。
つまり、選択に応じて、ロック機構部分を容易に装着できる構造のコネクタとし、ロック機構を有する場合には前記部材２２を引くと、前記部材２２が回動することで、簡単に、前記部材２２のロック機能が相手コネクタから解除できるようにしたものである。
ロック機能を有する場合には、相手コネクタと着脱自在に嵌合するコネクタであって、前記コネクタは、相手コネクタと接触する接触部とケーブルと接続する接続部を有する複数のコンタクトと、該コンタクトが保持・配列される挿入孔を有するハウジングと、前記コンタクトの接続部が入る装着孔を有する上カバー及び下カバーと、前記ケーブルを纏め、整列保持するストレンリリーフと、前記相手コネクタとのロック機能を有する部材とを備え、前記部材は前記ストレンリリーフに回動可能に装着され、前記部材を回動させることにより、前記部材のロック機能が前記相手コネクタから解除されることを特徴とするコネクタである。
【００１０】
図１から図６に基づいて、本発明のコネクタ１０の一実施例について説明する。
図１（Ａ）は本発明のコネクタを嵌合方向上側よりみた斜視図であり、（Ｂ）は本発明のコネクタを嵌合方向の反対側下側よりみた斜視図であり、（Ｃ）は本発明のコネクタが相手コネクタと嵌合した状態の斜視図である。図２（Ａ）はプルタブ付きの本発明のコネクタを、あるコンタクト部分で断面した縦断面図であり、（Ｂ）はプルタブ付きの本発明のコネクタを、幅方向の中心で断面した横断面図であり、（Ｃ）は本発明のコネクタと相手コネクタが嵌合した状態の側面図である。図３（Ａ）はプルタブを取り付けた状態のストレンリリーフをコネクタ装着方向よりみた斜視図であり、（Ｂ）は部材をコネクタ装着方向よりみた斜視図であり、（Ｃ）はプルタブを取り付けられ、部材が装着された状態のストレンリリーフをコネクタ装着方向よりみた斜視図である。図４（Ａ）は分離した状態の上下カバーを、下カバー方向よりみた斜視図であり、（Ｂ）は分離した状態の上下カバーを、上カバー方向よりみた斜視部であり、（Ｃ）は嵌め合わさった状態の上下カバーを、あるコンタクト装着孔部分で断面した断面図である。図５（Ａ）はハウジングを嵌合方向よりみた斜視図であり、（Ｂ）はハウジングを嵌合方向と反対方向よりみた斜視図であり、（Ｃ）はハウジングをある挿入孔部分で断面した断面図である。図６（Ａ）は２種類のコンタクトを接触部方向よりみた斜視図であり、（Ｂ）は２種類のコンタクトを接続部方向よりみた斜視図であり、（Ｃ）は２種類のコンタクトが装着された状態のハウジングを接続部方向よりみた斜視図である。
【００１１】
ロック機構を有する場合には、本発明のコネクタ１０は、少なくともハウジング１２と２種類のコンタクト１４と上下カバー１６、１８とストレンリリーフ２０と部材２２を備えている。必要に応じて、プルタブ２４を備える場合もある。本実施例では、前記プルタブ２４を備えたものについて説明する。ロック機構を有しない場合には、少なくともハウジング１２と２種類のコンタクト１４と上下カバー１６、１８とストレンリリーフ２０を備えることになる。つまり、以下で説明するコネクタ１０から前記部材２２を除いた構造になる。
【００１２】
構成部品を説明する前に、本実施例に使用するケーブルについて説明する。導体を絶縁物で覆った複数の芯線が撚られて纏まったものを絶縁物の外皮で覆ったものや、複数の芯線を１本ずつ並べたフレキシブルフラットケーブルなどがある。
【００１３】
まず、本発明のポイントである相手コネクタからの抜去（取り外し）の仕方について説明する。前記部材２２を手で引く（嵌合と反対側で弾性片２２５の反対方向）と前記部材２２が軸受部２２４を中心に回転し、前記部材２２の突出部２２３が相手コネクタから外れて、相手コネクタから抜去（取り外し）することができる。手が入るスペースがない場合、前記ストレンリリーフ２０に取り付けられた前記プルタブ２４を図２（Ｃ）の矢印「イ」方向に水平に引くと、引くだけで自然に前記部材２２が前記軸受部２２４を中心に図２（Ｃ）の矢印「ハ」方向に回転し、前記部材２２の突出部２２３が図２（Ｃ）の矢印「ロ」方向に上がることで相手コネクタから外れて、相手コネクタから抜去（取り外し）することができる。
【００１４】
相手コネクタとの嵌合の際には、前記コネクタ１０を挿入していくと、前記部材２２の突出部２２３の先端の誘い部に沿って、前記部材２２が回転し、前記突出部２２３が前記相手コネクタの係合部を乗り越え、前記弾性片２２５の弾性力によって元に戻り、前記突出部２２３が相手コネクタと係合することで嵌合が完了する。
【００１５】
まず、部材２２について説明する。この部材２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記部材２２は本体部２２１とその両端より嵌合方向に突出する突出片２２２を有している。
【００１６】
前記突出片２２２のほぼ中央付近には、軸受部２２４と一方側に略Ｌ字形状に突出した弾性片２２５が設けられている。前記装着手段としての前記軸受部２２４は、前記ストレンリリーフ２０の軸部２０３と枢軸して、前記部材２２を引いた際に回転できるようにするためのものである。前記軸受部２２４の形状・大きさは、前記部材２２を引いた際に前記部材２２が回転できれば如何なるものでもよいが、上記役割や回転性や加工性や強度等を考慮して適宜設計する。
【００１７】
前記弾性片２２５は、嵌合が完了した際や前記部材２２を引くことをやめた際に、前記部材２２が原点復帰（元の位置に戻る）するためのものである。前記弾性片２２５の形状・大きさは、弾性を有するように設けなければならず、上記役割や弾性や加工性や強度等を考慮して適宜設計する。
【００１８】
前記突出片２２２の先端には、一方側に突出し、相手コネクタと係合する突出部２２３が設けられている。前記突出部２２３は相手コネクタと係合する部分であり、その形状・大きさは係合出切れば如何なるものでもよいが、保持力や嵌合性や加工性や強度等を考慮して適宜設計する。
【００１９】
前記突出部２２３の先端には、相手コネクタとの嵌合時に嵌合し易くするために、誘い部を設けることが望ましい。前記誘い部の形状としては、嵌合し易くできればよく、Ｒ形状やＣ面取りやテーパであってもよい。
【００２０】
次に、ストレンリリーフ２０について説明する。このストレンリリーフ２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ストレンリリーフ２０は本体２０１とその両端より嵌合方向に突出する突出片２０２を有している。
【００２１】
さらに、前記ストレンリリーフ２０には、長手ピッチ方向で、かつ、前記突出片２０２の内側に４つの突部２０４が設けられている。前記突部２０４は、前記上カバー１６と前記ストレンリリーフ２０の間の入る前記ケーブルの厚さを確保するためのものである。言い換えれば、前記ストレンリリーフ２０の嵌合方向の位置決めをするためのものである。前記上カバー１６と前記ストレンリリーフ２０で前記ケーブルを挟み込んで、前記ケーブルを一方向に纏めて処理している。前記突部２０４の形状・大きさは、前記ケーブルの厚さを確保でき、前記ケーブルを纏めて処理できればよく、役割や前記ケーブルの太さや加工性や強度等を考慮して適宜設計する。
【００２２】
前記突出片２０２の先端側で、幅方向のほぼ中央で、前記部材２２の軸受部２２４に対応・枢軸する前記装着手段としての軸部２０３が設けられている。前記軸部２０３は前記軸受部２２４に枢軸できればよく、前記軸部２０３の形状・大きさは役割や回転性や加工性や強度等を考慮して適宜設計する。
【００２３】
前記本体２０１は、前記ケーブルを前記上カバー１６に押し付ける部分である。前記本体２０１は前記ケーブルを押し付けられればよく、その形状・大きさは役割やコネクタの小型化や加工性や強度等を考慮して適宜設計する。
【００２４】
２種類の前記コンタクト１４、１５について説明する。２種類の前記コンタクト１４、１５は金属製であり、公知技術のプレス加工によって製作されている。２種類の前記コンタクト１４、１５の材質としては、バネ性や導電性や寸法安定性などが要求されるので、黄銅やベリリウム銅やリン青銅等を挙げることができる。本実施例では、２種類の前記コンタクト１４、１５は前記ハウジング１２に圧入によって固定されている。
【００２５】
２種類の前記信号コンタクト１４、１５は、相手コネクタと接触する接触部１４１、１５１と前記ハウジング１２に固定される固定部１４２、１５２と前記ケーブルが接続される接続部１４３、１５３とを有している。
【００２６】
前記接触部１４１、１５１は、相手物と接触し易いように相手物の形状に沿うように適宜設計しているが、本実施例では湾曲形状をしている。
【００２７】
前記接続部１４３、１５３は前記ケーブルに接続する部分であり、その方法としては半田付けや圧着や圧接などを挙げることができる。本実施例では圧接によりケーブルと接続している。さらに、本実施例では狭ピッチの対応するため、上下カバー１６、１８を用いた立体圧接構造にしている。
【００２８】
前記固定部１４２、１５２は、前記ハウジング１２に固定出来れば如何なる方法でもよく、圧入や引っ掛け（ランス）や溶着や一体成形等を挙げることができる。本実施例では前記ハウジング１２へ圧入により保持・固定している。前記固定部１４２、１５２の形状・大きさは、保持力や加工性や強度等を考慮して適宜設計する。
【００２９】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、相手コネクタが入る嵌合口５が設けられている。前記嵌合口５は、前記相手コネクタが入ればよく、前記相手コネクタの形状に沿うように適宜設計されている。
【００３０】
前記ハウジング１２は、本体１２２と該本体１２２から相手コネクタの挿入方向へ突出し、前記相手コネクタに入る嵌合部１２３を有している。前記嵌合部１２３は前記相手コネクタに入ればよく、前記相手コネクタの形状に沿うように適宜設計されている。前記嵌合部１２３内には、２種類の前記コンタクト１４、１５が保持・配列される挿入孔１２１が設けられている。
【００３１】
前記挿入孔１２１は圧入や引っ掛け（ランス）や溶着等によって固定されている。本実施例では、それぞれのコンタクト１４、１５は圧入によって固定されている。
【００３２】
前記ハウジング１２の長手ピッチ方向両側で、幅方向両側には凸部１２４が設けられている。前記凸部１２４は、前記凸部１２４間に前記部材２２の弾性片２２５を配置させ、前記部材２２が回転した際に前記弾性片２２５が押し付けられ、前記部材２２が元に戻るようにするためのものである。その形状・大きさは、役割やコネクタの小型化や強度や加工性等を考慮して適宜設計する。
【００３３】
前記ハウジング１２の長手ピッチ方向両側には、嵌合方向と反対側に突出した突出片１２５が設けられている。前記突出片１２５は、２つの前記突出片１２５間に上下カバー１６、１８を挟み込んで、長手ピッチ方向の位置決めをするためのものである。
【００３４】
前記突出片１２５の先端には、長手ピッチ方向内側に突出した係合部１２７が設けられている。前記係合部１２７は、前記上カバー１６の端部に係合することで、上下カバー１６、１８の高さ方向の位置決めをするためのものである。前記突出片１２５と前記係合部１２７の形状・大きさは、上下カバー１６、１８を位置決め、保持できればよく、その形状・大きさは役割や強度や弾性や加工性等を考慮して適宜設計する。
【００３５】
前記突出片１２５のほぼ中央付近には、係止部１２６が設けられている。前記係止部１２６は前記ストレンリリーフ２０と係合することで、前記ストレンリリーフ２０を保持するためのものである。その形状・大きさは加工性や役割や強度等を考慮して適宜設計する。
【００３６】
次に、上カバー１６と下カバー１８について説明する。この上下カバー１６、１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３７】
上下カバー１６、１８には、２種類の前記コンタクト１４、１５の接続部１４３、１５３が入る装着孔１６１、１８１が幅方向に４列ずつ長手ピッチ方向に０．５〜０．８ｍｍ間隔で設けられている。前記装着孔１６１、１８１は前記コンタクト１４、１５が入ればよく、その形状・大きさは前記コンタクト１４、１５の接続部１４３、１５３が入ればよく、狭ピッチ化や加工性や強度等を考慮して適宜設計している。
【００３８】
上下カバー１６、１８には、幅方向に互い違いに湾曲形状をした傾斜台１６４、１８４が長手ピッチ方向に０．５〜０．８ｍｍピッチで設けられている。上下カバー１６、１８を、嵌め合わせた際に、前記傾斜台１６４、１８４同士が嵌め合わさり、前記ＦＦＣの場合に前記傾斜台１６４、１８４の端部で芯線間の絶縁物を切断している。前記傾斜台１６４、１８４の形状・大きさは、芯線間を切断や振り分けできればよく、コネクタの小型化や役割や狭ピッチ化や加工性や強度等を考慮して適宜設計される。
【００３９】
前記上下カバー１６、１８の長手ピッチ方向両端部の幅方向中央部付近には、一方のカバー側にガイド片と他方のカバー側にガイド溝とが設けられている。本実施例では、上カバー１６側にガイド片１６３を設け、下カバー１８側にガイド溝１８３を設けている。前記ガイド片１６３と前記ガイド溝１８３は、上下カバー１６、１８の嵌合（嵌め合わせる）の際に、上下カバー１６、１８の嵌め合わせをスムーズに行うためのものである。前記ガイド片１６３と前記ガイド溝１８３の形状・大きさは、このような役割を満足すればよく、役割やガイド性や加工性や強度等を考慮して適宜設計する。
【００４０】
前記上下カバー１６、１８の長手ピッチ方向両端部の幅方向中央部付近には、一方のカバー側に位置決めピンと他方のカバー側に位置決め孔とが設けられている。本実施例では、上カバー１６側に位置決めピン１６２を設け、下カバー１８側に位置決め孔１８２を設けている。前記位置決めピン１６２と前記位置決め孔１８２は、上下カバー１６、１８の嵌合（嵌め合わせる）の際に、上下カバー１６、１８の位置合わせを行うためのものである。前記位置決めピン１６２と前記位置決め孔１８２の形状・大きさは、このような役割を満足すればよく、役割や位置決め性や加工性や強度等を考慮して適宜設計する。
【産業上の利用可能性】
【００４１】
本発明の活用例としては、シーケンサや基地局や自動改札機や遊技機や交換機等の電気機器や電子機器に使用されるコネクタに活用され、特に、部品点数を増やすことなく、ケーブルを処理（纏める）することができ、相手コネクタとの強固なロックができ、かつ、簡単にロックを解除できる構造のコネクタと相手コネクタに単に嵌合できるコネクタとを選択できる構造のコネクタに関するものである。
【符号の説明】
【００４２】
５              嵌合口
１０            コネクタ
１２            ハウジング
１２１          挿入孔
１２２          本体
１２３          嵌合部
１２４          凸部
１２５          突出片
１２６          係止部
１２７          係合部
１４、１５      コンタクト
１４１、１５１  接触部
１４２、１５２  固定部
１４３、１５３  接続部
１６            上カバー
１６１          装着孔
１６２          位置決めピン
１６３          ガイド片
１６４          傾斜台
１８            下カバー
１８１          装着孔
１８２          位置決め孔
１８３          ガイド溝
１８４          傾斜台
２０            ストレンリリーフ
２０１          本体
２０２          突出片
２０３          軸部
２０４          突部
２２            部材
２２１          本体部
２２２          突出片
２２３          突出部
２２４          軸受部
２２５          弾性片
２４            プルタブ
５０            相手コネクタ
５２            係止部